(57)【要約】      （修正有）【課題】複数の２次電池を直列に接続してなるセルパックのセルバランス制御を行う２次電池保護回路の提供。【解決手段】複数の２次電池cell1〜5のそれぞれに並列に接続される複数のセルバランス用スイッチM11,M21,M31,M41,M51と、充電時に、出力電圧が予め設定された復帰電圧レベルVREＬ以上の２次電池cell1〜5に接続されたトランジスタスイッチM11,M21,M31,M41,M51のそれぞれをオンし、全ての２次電池cell1〜5の出力電圧が復帰電圧レベルVREＬ以上になると各トランジスタスイッチM11,M21,M31,M41,M51をオフする充電スイッチ制御手段（比較器COMP1〜5と否定論理和回路（NOR回路）NOR1〜5および否定論理和回路（NOR回路）NOR6からなる）とを有する構成とし、各２次電池に対する過放電・過充電制御を連携させて行う。【選択図】図１
2011182484.tif 000002
【特許請求の範囲】
【請求項１】
複数の２次電池を直列に接続してなるセルパックのセルバランス制御を行う２次電池保護回路であって、
上記複数の２次電池のそれぞれに並列に接続される複数のセルバランス用スイッチ手段と、
充電時に、出力電圧が予め設定された復帰電圧レベル以上の２次電池に接続された上記セルバランス用スイッチ手段のそれぞれをオンし、全ての２次電池の出力電圧が上記復帰電圧レベル以上になると各セルバランス用スイッチ手段をオフする充電スイッチ制御手段と
を有することを特徴とする２次電池保護回路。
【請求項２】
複数の２次電池を直列に接続してなるセルパックのセルバランス制御を行う２次電池保護回路であって、
上記複数の２次電池のそれぞれに並列に接続される複数のセルバランス用スイッチ手段と、
負荷接続時に上記２次電池の少なくとも１つが、当該２次電池の出力電圧が予め定められた検出電圧レベル以下に低下した過放電状態になると過放電検出信号を出力する過放電検出信号出力手段と、
該過放電検出信号出力手段が上記過放電検出信号を出力すると、過放電状態となった２次電池以外の各２次電池に接続された上記セルバランス用スイッチ手段のそれぞれをオンして当該２次電池を放電させるパス回路を形成する放電スイッチ制御手段と、
充電時に、出力電圧が上記検出電圧レベル以上で予め設定された復帰電圧レベル以上の２次電池に接続された上記セルバランス用スイッチ手段のそれぞれをオンし、全ての２次電池の出力電圧が上記復帰電圧レベル以上になると各セルバランス用スイッチ手段をオフする充電スイッチ制御手段と
を有することを特徴とする２次電池保護回路。
【請求項３】
２以上ｎ個の２次電池を直列に接続してなるセルパックのセルバランス制御を行う２次電池保護回路であって、
上記ｎ個の２次電池のそれぞれに並列に接続されるｎ個のセルバランス用スイッチ手段と、
上記ｎ個の２次電池のそれぞれの出力電圧が予め定められた検出電圧レベル以下に低下した過放電状態を個別に検出するｎ個の過放電検出手段と、
該ｎ個の過放電検出手段の少なくとも１つが過放電状態を検出すると過放電検出信号を出力する過放電検出信号出力手段と、
該過放電検出信号出力手段が上記過放電検出信号を出力すると、過放電状態となった２次電池以外の各２次電池に接続された上記セルバランス用スイッチ手段のそれぞれをオンして当該２次電池を放電させるパス回路を形成する放電スイッチ制御手段と、
充電時、出力電圧が上記検出電圧レベル以上で予め設定された復帰電圧レベル以上の２次電池に接続された上記セルバランス用スイッチ手段のそれぞれをオンし、全ての２次電池の出力電圧が上記復帰電圧レベル以上になると各セルバランス用スイッチ手段をオフする充電スイッチ制御手段と
を有することを特徴とする２次電池保護回路。
【請求項４】
２以上ｎ個の２次電池を直列に接続してなるセルパックのセルバランス制御を行う２次電池保護回路であって、
上記ｎ個の２次電池のそれぞれに並列に接続されるｎ個のセルバランス用スイッチ手段と、
上記ｎ個の２次電池のそれぞれの出力電圧が予め定められた検出電圧レベル以下に低下した過放電状態を個別に検出するｎ個の過放電検出手段と、
該ｎ個の過放電検出手段の少なくとも１つが過放電状態を検出すると過放電検出信号を出力する過放電検出信号出力手段と、
該過放電検出信号出力手段が上記過放電検出信号を出力すると、過放電状態となった２次電池以外の各２次電池に対する各過放電検出手段による過放電状態の検出電圧を、上記検出電圧レベル以上で予め設定された復帰電圧レベルに変更する検出レベル変更手段と、
上記過放電検出信号出力手段が上記過放電検出信号を出力すると、過放電状態となった２次電池以外の各２次電池に接続された上記セルバランス用スイッチ手段のそれぞれをオンして当該２次電池を放電させるパス回路を形成する第１の放電スイッチ制御手段と、
上記過放電検出手段が、上記検出レベル変更手段により変更された復帰電圧レベル以下に出力電圧が低下した過放電状態の２次電池を検出すると、検出した過放電状態の２次電池に接続された上記セルバランス用スイッチ手段をオフして当該２次電池を放電させるパス回路を遮断する第２の放電制御手段と、
充電時、出力電圧が上記検出電圧レベル以上で予め設定された復帰電圧レベル以上の２次電池に接続された上記セルバランス用スイッチ手段のそれぞれをオンし、全ての２次電池の出力電圧が上記復帰電圧レベル以上になると各セルバランス用スイッチ手段をオフする充電スイッチ制御手段と
を有することを特徴とする２次電池保護回路。
【請求項５】
請求項１から請求項４のいずれかに記載の２次電池保護回路を設けたことを特徴とするバッテリ装置。
【発明の詳細な説明】
【技術分野】
【０００１】
本発明は、遅延時間を複数持つ複合型の電源ICの電圧レギュレータや電圧検出器、特に携帯電子機器などに用いる２次電池のバッテリパック（バッテリ装置）に内蔵されているリチウムイオン電池などを、過充電、過放電、充電過充電、放電過充電、短絡電流等から保護する技術に係り、特に、複数のバッテリ（セル）を直列に接続して電圧を上げたセルパック（多直パック）からなるバッテリ装置における満充電時の電圧バラツキを効率的に押さえるのに好適な技術に関するものである。
【背景技術】
【０００２】
複数の２次電池（セル）を直列に接続して電圧を上げたセルパック（多直パック）からなるバッテリ装置における充電時・放電時の状態を監視する技術として、例えば特許文献１に記載のものがある。この特許文献１においては、充電中に過電流を検出した場合、充電禁止信号が入力されても、この充電禁止信号をキャンセルすることにより、負荷に電池電圧を供給できないロックモードを防止する技術が記載されている。
【０００３】
また、特許文献２においては、バッテリ電圧が、一定の電圧以上になるとセルバランスを取り始める保護回路が記載されている。この技術によれば、ある一定の電圧以上になった場合においてセルバランスを取ることができる。
【０００４】
尚、セルバランスとは、電池パック（多直パック）を構成する各バッテリの自己放電の大きさの相違（自己放電のアンバランス）に起因する各バッテリの充電量の差異を補正する（セルアンバランス補正）技術であり、特に大規模な直列電池パックでは、このセルバランス（セルアンバランス補正）を行う必要がある。
【０００５】
上述の特許文献２に記載の技術では、各バッテリ毎に、過放電を検出する回路（過放電検出回路）と過充電を検出する回路（過充電検出回路）および各バッテリに並列接続されたスイッチをオン・オフ制御する回路（セルバランス回路）を設け、充電中には、過充電検出回路の過充電検出結果に基づきセルバランス回路により、バッテリに並列接続されたスイッチをオン制御してセルバランスをとり、放電中には、過放電検出回路の過放電検出動作に基づき、過充電検出回路とセルバランス回路をオフ制御して消費電力を小さくして放電スピードを遅くすることでセルバランスをとる。
【０００６】
すなわち、各バッテリで特性バラツキが生じたことにより、放電中に１つのバッテリの電圧が他のバッテリの電圧よりも早く、過放電検出電圧よりも低くなった場合、当該バッテリの電圧低下を検出した当該バッテリの状態監視回路からの検出結果に基づき放電を禁止するが、当該バッテリの状態監視回路の消費電力が他のバッテリの状態監視回路よりも消費電力が小さい分、当該バッテリの放電スピードが他のバッテリよりの放電スピードよりも遅くなり、他のバッテリは今まで通りに放電するので、当該バッテリの電圧と他のバッテリの電圧を揃える（セルバランスをとる）ことができる。
【０００７】
また、各バッテリで特性バラツキが生じたことにより、充電中に、直列接続されたバッテリの１つの電圧が他のバッテリの電圧より早く所定のセルバランス電圧以上になると、当該バッテリに並列接続されたスイッチをオンして、当該バッテリを放電することで、セルバランスをとることができる。
【０００８】
このように、この技術では、各バッテリ毎に、過放電を検出する回路（過放電検出回路）と過充電を検出する回路（過充電検出回路）および各バッテリに並列接続されたスイッチをオン・オフ制御する回路（セルバランス回路）を設け、充電中には、過充電検出回路の過充電検出結果に基づきセルバランス回路により、バッテリに並列接続されたスイッチをオン制御してセルバランスをとるが、放電中には、過放電検出回路の過放電検出動作に基づき、過充電検出回路とセルバランス回路をオフ制御して消費電力を小さくして放電スピードを遅くすることでセルバランスをとっている。
【０００９】
すなわち、過放電検出時には、セルバランス回路によるスイッチのオン・オフ制御は行わずに、過充電検出回路とセルバランス回路をオフ制御して消費電力を小さくして、過放電が検出されたバッテリ自身の放電スピードを遅くすることでセルバランスをとっているだけであり、過放電が検出されたバッテリ以外のバッテリの放電スピードを積極的に早くすることはできない。
【００１０】
これは、この技術では、各バッテリ毎に、個別に独立して、セルバランス用のスイッチをオン・オフ制御する構成となっているためである。
【００１１】
また、このように、各バッテリ毎に個別に独立してセルバランス用のスイッチをオン・オフ制御する構成となっているため、各スイッチを連動させての、放電時・充電時のセルバランス制御を行うことができない。
【発明の概要】
【発明が解決しようとする課題】
【００１２】
解決しようとする問題点は、従来の技術では、各バッテリ毎に、個別に独立して、セルバランス用のスイッチをオン・オフ制御する構成となっているため、スイッチによるセルバランス動作は、充電時のみ可能であり、放電時にはスイッチによるセルバランス動作は利用できない点と、各スイッチを連動させての、放電時・充電時のセルバランス制御を行うことができない点である。
【００１３】
本発明の目的は、これら従来技術の課題を解決し、過放電が検出されたバッテリ以外のバッテリの放電スピードを積極的に早くすることで、放電に対するセルバランスの効率化を可能とすると共に、１つのバッテリの電圧状態に応じて、他の各バッテリに対するセルバランス制御を可能とすることである。
【課題を解決するための手段】
【００１４】
上記目的を達成するため、本発明は、複数の２次電池を直列に接続してなるセルパックのセルバランス制御を行う２次電池保護回路であって、複数の２次電池のそれぞれに並列に接続される複数のセルバランス用スイッチ手段と、充電時に、出力電圧が予め設定された復帰電圧レベル以上の２次電池に接続されたセルバランス用スイッチ手段のそれぞれをオンし、全ての２次電池の出力電圧が復帰電圧レベル以上になると各セルバランス用スイッチ手段をオフする充電スイッチ制御手段とを有する構成とする。より詳細には、２以上ｎ個の２次電池を直列に接続してなるセルパックのセルバランス制御を行う２次電池保護回路であって、ｎ個の２次電池のそれぞれに並列に接続されるｎ個のセルバランス用スイッチ手段と、ｎ個の２次電池のそれぞれの出力電圧が予め定められた検出電圧レベル以下に低下した過放電状態を個別に検出するｎ個の過放電検出手段と、このｎ個の過放電検出手段の少なくとも１つが過放電状態を検出すると過放電検出信号を出力する過放電検出信号出力手段と、この過放電検出信号出力手段が過放電検出信号を出力すると、過放電状態となった２次電池以外の各２次電池に対する各過放電検出手段による過放電状態の検出電圧を、検出電圧レベル以上で予め設定された復帰電圧レベルに変更する検出レベル変更手段と、過放電検出信号出力手段が過放電検出信号を出力すると、過放電状態となった２次電池以外の各２次電池に接続されたセルバランス用スイッチ手段のそれぞれをオンして当該２次電池を放電させるパス回路を形成する第１の放電スイッチ制御手段と、過放電検出手段が、検出レベル変更手段により変更された復帰電圧レベル以下に出力電圧が低下した過放電状態の２次電池を検出すると、検出した過放電状態の２次電池に接続されたセルバランス用スイッチ手段をオフして当該２次電池を放電させるパス回路を遮断する第２の放電制御手段と、充電時、出力電圧が検出電圧レベル以上で予め設定された復帰電圧レベル以上の２次電池に接続されたセルバランス用スイッチ手段のそれぞれをオンし、全ての２次電池の出力電圧が復帰電圧レベル以上になると各セルバランス用スイッチ手段をオフする充電スイッチ制御手段とを有する構成とすることを特徴とする。
【発明の効果】
【００１５】
本発明によれば、各セル（２次電池）毎に設けられた放電監視手段、充電監視手段、放電パス形成スイッチ等の制御を連携させて行うことができ、１つの２次電池の電圧状態に応じて、他の２次電池に対するセルバランス制御が可能となる。例えば、１つのセルの過放電検出により形成された他の２次電池の放電パスの遮断を早めることで、セルバランスをとりながらの充電時における各２次電池の満充電までに要する時間を短縮することが可能となる。
【図面の簡単な説明】
【００１６】
【図１】本発明に係る２次電池保護回路の回路構成例を示す回路図である。
【図２】図１における２次電池保護回路の動作例を示すタイムチャートである。
【発明を実施するための形態】
【００１７】
以下、図を用いて本発明を実施するための形態例を説明する。図１において、cell1〜cell5はバッテリ（２次電池）、R11〜R14，R21〜R24，R31〜R34，R41〜R44，R51〜R54は抵抗、M11，M12，M21，M22，M31，M32，M41，M42，M51，M52はトランジスタスイッチ（NMOS）、NOR1〜６は否定論理和回路（NOR回路）、COMP1〜5は比較器、VC1〜5，VSSはバッテリ端子、CB1〜5はスイッチ制御端子、VREF1〜5は参照電圧であり、本発明に係る２次電池保護回路を構成している。この２次電池保護回路は、いわゆるノートパソコン等に用いられる、リチウムイオン電池などを複数直列に接続してなるバッテリ装置等に設けられる。
【００１８】
このような構成により、本例の２次電池保護回路は、充電時に、出力電圧が予め設定された復帰電圧レベル以上の２次電池cell1〜cell5に接続された各セルバランス用のトランジスタスイッチ（NMOS）M11，M21，M31，M41，M51のそれぞれをオンし、全ての２次電池cell1〜cell5の出力電圧が復帰電圧レベル以上になると各トランジスタスイッチ（NMOS）M11，M21，M31，M41，M51をオフにすることで、満充電時の各２次電池cell1〜cell5の電圧バラツキを抑えることができる。
【００１９】
すなわち、本例の２次電池保護回路においては、２以上ｎ個（本例ではｎ＝5）の２次電池cell1〜cell5を直列に接続してなるセルパックの過放電状態を検出して、セルパックの放電を停止させるための過放電検出信号VDETB2を出力する。尚、この過放電検出信号VDETB2は否定回路（NOT）によりVDET2に変換されDout端子から出力される。
【００２０】
トランジスタスイッチ（NMOS）M11，M21，M31，M41，M51は、本発明に係るセルバランス用スイッチ手段を構成し、それぞれ、ｎ個（５個）の２次電池cell1〜cell5のそれぞれに並列に接続される。
【００２１】
また、比較器COMP1〜5と抵抗R11〜54および参照電圧VREF1〜5と否定論理和回路（NOR回路）NOR6は、本発明に係る過放電検出信号出力手段を構成し、＋端子と−端子における負荷接続時に、ｎ個（５個）の２次電池cell1〜cell5の少なくとも１つが、当該２次電池cell1〜cell5の出力電圧が予め定められた検出電圧レベルVDET以下に低下した過放電状態になると、過放電検出信号VDETB2を出力する。
【００２２】
また、比較器COMP1〜5と否定論理和回路（NOR回路）NOR1〜5および否定論理和回路（NOR回路）NOR6は、本発明に係る放電スイッチ制御手段を構成し、過放電検出信号出力手段を構成する否定論理和回路（NOR回路）NOR6が過放電検出信号VDETB2を出力すると、過放電状態となった例えば２次電池cell1以外の各２次電池cell2〜5に接続されたセルバランス用スイッチ手段としてのトランジスタスイッチ（NMOS）M21，M31，M41，M51のそれぞれをオンして当該２次電池cell2〜5を放電させる抵抗R21〜31を含むパス回路を形成する。
【００２３】
そして、比較器COMP1〜5と否定論理和回路（NOR回路）NOR1〜5および否定論理和回路（NOR回路）NOR6は、本発明に係る充電スイッチ制御手段を構成し、ｎ個（５個）の２次電池cell1〜5の少なくとも１つ、例えば２次電池cell1が過放電状態からの、＋端子と−端子を介しての充電時、全ての２次電池cell1〜5の出力電圧が、検出電圧レベルVDET以上で予め設定された復帰電圧レベルVREF以上になるまで、各セルバランス用スイッチとしてのトランジスタスイッチ（NMOS）M21，M31，M41，M51をオンにする。
【００２４】
あるいは、トランジスタスイッチ（NMOS）M11，M21，M31，M41，M51は、本発明に係るセルバランス用スイッチ手段を構成し、それぞれ、ｎ個（５個）の２次電池cell1〜cell5のそれぞれに並列に接続され、また、比較器COMP1〜5と抵抗R11〜54および参照電圧VREF1〜5は、本発明に係る過放電検出信手段を構成し、＋端子と−端子における負荷接続時に、それぞれ対応する２次電池cell1〜cell5の出力電圧が予め定められた検出電圧レベルVDET以下に低下した過放電状態を個別に検出する。
【００２５】
さらに、否定論理和回路（NOR回路）NOR6は、本発明に係る過放電検出信号出力手段を構成し、比較器COMP1〜5と抵抗R11〜54および参照電圧VREF1〜5はからなる各過放電検出手段の少なくとも１つが過放電状態を検出すると過放電検出信号を出力し、また、比較器COMP1〜5と否定論理和回路（NOR回路）NOR1〜5および否定論理和回路（NOR回路）NOR6は、本発明に係る放電スイッチ制御手段を構成し、過放電検出信号出力手段を構成する否定論理和回路（NOR回路）NOR6が過放電検出信号VDETB2を出力すると、過放電状態となった例えば２次電池cell1以外の各２次電池cell2〜5に接続されたセルバランス用スイッチ手段としてのトランジスタスイッチ（NMOS）M21，M31，M41，M51のそれぞれをオンして当該２次電池cell2〜5を放電させる抵抗R21〜31を含むパス回路を形成する。
【００２６】
そして、比較器COMP1〜5と否定論理和回路（NOR回路）NOR1〜5および否定論理和回路（NOR回路）NOR6は、本発明に係る充電スイッチ制御手段を構成し、ｎ個（５個）の２次電池cell1〜5の少なくとも1つ、例えば２次電池cell1が過放電状態からの、＋端子と−端子を介しての充電時、全ての２次電池cell1〜5の出力電圧が、検出電圧レベルVDET以上で予め設定された復帰電圧レベルVREF以上になるまで、各セルバランス用スイッチとしてのトランジスタスイッチ（NMOS）M21，M31，M41，M51をオンにする。
【００２７】
あるいは、トランジスタスイッチ（NMOS）M11，M21，M31，M41，M51は、本発明に係るセルバランス用スイッチ手段を構成し、それぞれ、ｎ個（５個）の２次電池cell1〜cell5のそれぞれに並列に接続され、また、比較器COMP1〜5と抵抗R11〜54および参照電圧VREF1〜5は、本発明に係る過放電検出信手段を構成し、＋端子と−端子における負荷接続時に、それぞれ対応する２次電池cell1〜cell5の出力電圧が予め定められた検出電圧レベルVDET以下に低下した過放電状態を個別に検出する。
【００２８】
さらに、否定論理和回路（NOR回路）NOR6は、本発明に係る過放電検出信号出力手段を構成し、比較器COMP1〜5と抵抗R11〜54および参照電圧VREF1〜5はからなる各過放電検出手段の少なくとも１つが過放電状態を検出すると過放電検出信号を出力し、また、抵抗R12〜54とトランジスタスイッチM12，M22，M32，M42，M52は、本発明に係る検出レベル変更手段を構成し、過放電検出信号出力手段を構成する否定論理和回路（NOR回路）NOR6が過放電検出信号VDETB2を出力すると、過放電状態となった例えば２次電池cell1以外の各２次電池cell2〜5に対する、比較器COMP1〜5と抵抗R11〜54および参照電圧VREF1〜5からなる過放電検出手段による過放電状態の検出電圧を、検出電圧レベルVDET以上に設定された復帰電圧レベルVREFに変更する。
【００２９】
さらに、比較器COMP1〜5と否定論理和回路（NOR回路）NOR1〜5および否定論理和回路（NOR回路）NOR6は、本発明に係る第１，第２の放電スイッチ制御手段を構成し、過放電検出信号出力手段を構成する否定論理和回路（NOR回路）NOR6が過放電検出信号VDETB2を出力すると、過放電状態となった例えば２次電池cell1以外の各２次電池cell2〜5に接続されたセルバランス用スイッチ手段としてのトランジスタスイッチ（NMOS）M21，M31，M41，M51のそれぞれをオンして当該２次電池cell2〜5を放電させる抵抗R21〜31を含むパス回路を形成すると共に、比較器COMP1〜5と抵抗R11〜54および参照電圧VREF1〜5からなる各過放電検出手段が、抵抗R12〜54とトランジスタスイッチM12，M22，M32，M42，M52からなる検出レベル変更手段により変更された復帰電圧レベルVREF以下に出力電圧が低下した過放電状態の２次電池cell2〜5を検出すると、検出した過放電状態の２次電池cell2〜5に接続されたセルバランス用スイッチ手段としての当該トランジスタスイッチ（NMOS）M21，M31，M41，M51をオフして当該２次電池cell2〜5を放電させるパス回路を遮断する。
【００３０】
そして、比較器COMP1〜5と否定論理和回路（NOR回路）NOR1〜5および否定論理和回路（NOR回路）NOR6は、本発明に係る充電スイッチ制御手段を構成し、ｎ個（５個）の２次電池cell1〜5の少なくとも１つ、例えば２次電池cell1が過放電状態からの、＋端子と−端子を介しての充電時、全ての２次電池cell1〜5の出力電圧が、検出電圧レベルVDET以上で予め設定された復帰電圧レベルVREF以上になるまで、各セルバランス用スイッチとしてのトランジスタスイッチ（NMOS）M21，M31，M41，M51をオンにする。
【００３１】
このように、本例の２次電池保護回路では、各２次電池（バッテリ）cell1〜5毎に設けられたセルバランス用のトランジスタスイッチ（NMOS）M21，M31，M41，M51を、他の２次電池（バッテリ）cell1〜5の出力電圧の上下に連動させて、オン・オフ制御する構成とし、セルバランス用の各トランジスタスイッチ（NMOS）M21，M31，M41，M51による２次電池（バッテリ）cell1〜5に対するセルバランス動作を、充電時のみでなく、放電時にも可能となる。
【００３２】
これにより、過放電が検出された例えば２次電池（バッテリ）cell1以外の２次電池（バッテリ）cell2〜5の放電スピードを積極的に早くすることができ、放電に対するセルバランスの効率化が可能となる。
【００３３】
また、抵抗R12〜54とトランジスタスイッチM12，M22，M32，M42，M52からなる検出レベル変更手段により、１つのバッテリの電圧状態に応じて、他の各バッテリに対するセルバランス制御を変動して行うことができる。
【００３４】
以下、図１に示す２次電池保護回路の構成と動作の詳細を説明する。尚、図１においては、一般的な保護回路から、本発明に関連する機能部部を抜き出した回路を示す。
【００３５】
まず、比較器COMP1〜COMP5の検出電圧レベルVDETと復帰電圧レベルVREFについて説明する。
【００３６】
比較器COMP1〜5の反転レベルは、否定論理和回路（NOR回路）NOR6の出力がハイ（VDET2B=H）で、各比較器COMP1〜5（コンパレーター）のヒステリシス用のトランジスタスイッチM12,M22,M32,M42,M52が、ON（オン）の時は以下のようになり、この反転レベルを過放電検出レベル（検出電圧レベル）とする。
【００３７】
比較器COMP1の反転レベル（検出電圧レベル）は、「（VC1-VC2）×R13/（R12+R13）=VREF1」であり、このレベルをVDET21とする。
【００３８】
比較器COMP2の反転レベル（検出電圧レベル）は、「（VC2-VC3）×R23/（R22+R23）=VREF2」であり、このレベルをVDET22とする。
【００３９】
比較器COMP3の反転レベル（検出電圧レベル）は、「（VC3-VC4）×R33/（R32+R33）=VREF3」であり、このレベルをVDET23とする。
【００４０】
比較器COMP4の反転レベル（検出電圧レベル）は、「（VC4-VC5）×R43/（R42+R43）=VREF4」であり、このレベルをVDET24とする。
【００４１】
比較器COMP5の反転レベル（検出電圧レベル）は、「（VC5-VSS）×R53/（R52+R53）=VREF5」であり、このレベルをVDET25とする。
【００４２】
否定論理和回路（NOR回路）NOR6の出力VDET2B=Lで、各比較器（コンパレータ）のヒステリシス用のトランジスタスイッチM12,M22,M32,M42,M52がオフ（OFF）の時は、比較器COMP1〜5の反転レベルは、以下のようになる。この反転レベルを過放電復帰レベル（復帰電圧レベル）とする。
【００４３】
比較器COMP1の反転レベル（復帰電圧レベル）は、「（VC1-VC2）×(R13+R14)/（R12+R13+R14）=VREF1」であり、このレベルをVREL21とする。
【００４４】
比較器COMP2の反転レベル（復帰電圧レベル）は、「（VC2-VC3）×(R23+R24)/（R22+R23+R24）=VREF2」であり、このレベルをVREL22とする。
【００４５】
比較器COMP3の反転レベル（復帰電圧レベル）は、「（VC3-VC4）×(R33+R34)/（R32+R33+R34）=VREF3」であり、このレベルをVREL23とする。
【００４６】
比較器COMP4の反転レベル（復帰電圧レベル）は、「（VC4-VC5）×(R43+R44)/（R42+R43+R44）=VREF4」であり、このレベルをVREL24とする。
【００４７】
比較器COMP5の反転レベル（復帰電圧レベル）は、「（VC5-VSS）×(R53+R54)/（R52+R53+R54）=VREF5」であり、このレベルをVREL25とする。
【００４８】
次に、図１における構成での過放電検出復帰動作の概要を以下に示す。
【００４９】
全２次電池（バッテリ、セル）が過放電復帰電圧レベル（復帰電圧レベル）以上にある場合において、２次電池cell1のみの電圧が下降していく場合を例に以下説明する。
【００５０】
全２次電池（バッテリ、セル）が過放電復帰電圧レベル（復帰電圧レベル）以上にある時は、否定論理和回路（NOR回路）NOR6の出力VDET2Bはハイ（H）であり、トランジスタスイッチM12,M22,M23,M24,M25のNchMOSFETはONしている。
【００５１】
この時、２次電池cell1の出力電圧が下降し、抵抗R12,R13で分圧される比較器COMP1の-入力電圧が、VREF1電圧を下回ると、比較器COMP1の出力であるVD21信号は、ロジックレベルLからHになる。
【００５２】
VD21信号は、否定論理和回路（NOR回路）NOR6に入力されて、否定論理和回路（NOR回路）NOR6の出力VDET2B信号はHからLになる。尚、否定論理和回路（NOR回路）NOR6の出力VDET2B信号はインバーターに入力されてVDET2はLからHとなる。これにより過放電検出が行われて、Dout端子に、過放電検出信号を出力することになる。
【００５３】
また、この時、否定論理和回路（NOR回路）NOR6の出力VDET2BがHからLになるため、各トランジスタスイッチM12,M22,M23,M24,M25のNchMOSFETはOFFとなる。
【００５４】
これにより、抵抗R12,R13で分圧されていた比較器COMP1の-入力電圧が、抵抗R12,R13,R14で分圧されることになり、比較器COMP1の-入力電圧が上昇し、これにより、VD21がLに戻りにくくするためのヒステリシスができる。
【００５５】
次に、上述の状態から、２次電池cell1の電圧が上昇する場合を以下に示す。
【００５６】
２次電池cell1の電圧が上昇し、抵抗R12,R13,R14で分圧される比較器COMP1の-入力電圧が、VREF1電圧を上回ると、比較器COMP1の出力であるVD21信号は、ロジックレベルHからLになる。
【００５７】
このVD21信号は、否定論理和回路（NOR回路）NOR6に入力されて、否定論理和回路（NOR回路）NOR6の出力VDET2B信号はLからHになる。尚、VDET2B信号はインバーターに入力されてVDET2はHからLになる。これにより過放電復帰が行われて、DOUT端子に、過放電未検出信号を出力することになる。
【００５８】
また、この時、否定論理和回路（NOR回路）NOR6の出力VDET2BがLからHになるため、トランジスタスイッチM12,M22,M23,M24,M25のNchMOSFETはONする。
【００５９】
これにより、抵抗R12,R13,R14で分圧されていた比較器COMP1の-入力電圧が、抵抗R12,R13で分圧されることになり、比較器COMP1の-入力電圧が下降し、VD21がHに戻りにくくするためのヒステリシスができる。
【００６０】
本例の２次電池保護回路は、これらの過放電検出復帰動作時に、セルバランス用のトランジスタスイッチM12,M22,M23,M24,M25をON,OFFさせ、過放電状態からの充電初期にセルバランスを取る。
【００６１】
以下、図２を用いて、本例の２次電池保護回路の動作説明を行う。
【００６２】
図２における第１の期間（図中、丸付数字１で記載）においては、２次電池cell1〜cell5の全てが、過放電検出レベル（検出電圧レベル）以上にあるため、VD21, VD22, VD23, VD24, VD25はLとなっている。この時、否定論理和回路（NOR回路）NOR6の出力VDET2B=Hで、各比較器COMP1〜5のヒステリシス用のトランジスタスイッチM12,M22,M32,M42,M52は、ONしており、比較器COMP1〜5の反転レベルは、VDET21、VDET22、VDET23、VDET24、VDET25となっている。
【００６３】
第２の期間（図中、丸付数字２で記載）においては、２次電池cell1が、VDET2検出レベルを下回ったため、VD21=Hとなり、否定論理和回路（NOR回路）NOR6の出力VDET21B=Lとなり、比較器COMP1〜5のヒステリシス用のトランジスタスイッチM12,M22,M32,M42,M52はOFFし、比較器COMP1〜5の反転レベルは、VREL21、VREL22、VREL23、VREL4、VREL25となる。
【００６４】
２次電池cell2〜cell5は、VREL２以上のため、VD22,VD23,VD24,VD25はLであり、否定論理和回路（NOR回路）NOR6の出力VDET21B=Lのため、否定論理和回路（NOR回路）NOR2,NOR3,NOR4,NOR5の出力であるCB2,CB3,CB4,CB5はHとなる。
【００６５】
出力CB2,CB3,CB4,CB5がHとなると、トランジスタスイッチM21,M22,M23,M24,M25がONし、セルバランスをとるために放電したり、充電電流を逃がすための電流パスが、各２次電池cell2,cell3,cell4,cell5にできることになる。この第２の期間では、２次電池cell2の電圧が降下している。
【００６６】
第３の期間（図中、丸付数字３で記載）においては、放電により２次電池cell2がVREL22を下回るため、VD22=Hとなる。よって、CB2=Lとなり、トランジスタスイッチM21はOFFとなり、２次電池cell2に並列にできていた電流パスが遮断され、２次電池cell2の放電が停止する。
【００６７】
第４の期間（図中、丸付数字４で記載）においては、放電により２次電池cell3の電圧が下がり始める。
【００６８】
そして、第５の期間（図中、丸付数字５で記載）において、２次電池cell3の電圧がVREL23を下回るため、VD23=Hとなる。よって、CB3=Lとなり、トランジスタスイッチM31はOFFとなり、２次電池cell3に並列にできていた電流パスが遮断され、２次電池cell3の放電が停止する。
【００６９】
このように、２次電池cell2およびcell3は、２次電池cell1の過放電検出レベルVDET21よりも高い検出レベル（VREL）において、セルバランス用の放電が停止する。これにより、充電時における満充電までにかかる時間が短縮される。
【００７０】
第６の期間（図中、丸付数字６で記載）においては、２次電池cell4およびcell5に関して、２次電池cell2およびcell3と同様の動作が発生するが、ここでは説明を簡単にするため省略し、その後の充電動作に移行する。
【００７１】
第７の期間（図中、丸付数字７で記載）においては、第６の期間での充電開始に伴い２次電池cell3の電圧が上昇して、VREL23を上回るため、VD23=Lとなる。よって、CB3=Hとなり、トランジスタスイッチM31はONとなり、２次電池cell3に並列に電流パスができることになる。
【００７２】
また、第８の期間（図中、丸付数字８で記載）においては、２次電池cell2がVREL22を上回るため、VD22=Hとなる。よって、CB2=Hとなり、トランジスタスイッチM21はONとなり、２次電池cell2に並列に電流パスができることになる。
【００７３】
このように、第７，８の期間において２次電池cell2,3に並列な電流パスを形成することで、２次電池cell2,3のさらなる電圧上昇を抑えて、各２次電池cell2,3に対する過充電制御を行うことができる。
【００７４】
尚、第６の期間においては、第７，８の期間における各２次電池cell2,3に対する過充電制御と同じ制御が、各２次電池cell4,5に対して行われている。
【００７５】
第９の期間（図中、丸付数字９で記載）においては、２次電池cell1がVREL21を上回るため、VD21=Lとなる。
【００７６】
この段階で、全２次電池（セル）の電圧がVREL2より高いので、否定論理和回路（NOR回路）NOR6の出力VDET2B=Hとなる。
【００７７】
この否定論理和回路（NOR回路）NOR6の出力VDET2B=Hのため、否定論理和回路（NOR回路）NOR2,NOR3,NOR4,NOR5の出力である6CB2,CB3,CB4,CB5はロー（L）となり、トランジスタスイッチM21,M31,M41,M51はOFFとなり、２次電池cell2,cell3,cell4,cell5に並列にできていた電流パスが遮断される。
【００７８】
以上の動作により、少なくとも１つの２次電池（セル）で過放電を検出した場合、過放電復帰電圧以上のセルはNchMOSFETからなるトランジスタスイッチ（M11,M21,M31,M41,M51）により、放電される。
【００７９】
これにより、少なくとも１つのセルが過放電にある状態から充電させた場合、過放電復帰電圧（復帰電圧レベル）付近で、一旦、全２次電池（セル）がバランスし、バランスした状態から、満充電を目指して充電されることになる。これにより、満充電時の電圧バラツキを抑えることができる。
【００８０】
以上、図１，図２を用いて説明したように、本例の２次電池保護回路では、複数の２次電池cell1〜5を直列に接続してなるセルパックのセルバランス制御を行う２次電池保護回路であって、複数の２次電池cell1〜5のそれぞれに並列に接続される複数のセルバランス用スイッチとしてのトランジスタスイッチM11,M21,M31,M41,M51と、充電時に、出力電圧が予め設定された復帰電圧レベルVREＬ以上の２次電池cell1〜5に接続されたトランジスタスイッチM11,M21,M31,M41,M51のそれぞれをオンし、全ての２次電池cell1〜5の出力電圧が復帰電圧レベルVREＬ以上になると各トランジスタスイッチM11,M21,M31,M41,M51をオフする充電スイッチ制御手段（比較器COMP1〜5と否定論理和回路（NOR回路）NOR1〜5および否定論理和回路（NOR回路）NOR6からなる）とを有する構成とする。
【００８１】
より詳細には、２以上ｎ個の２次電池cell1〜5を直列に接続してなるセルパックのセルバランス制御を行う２次電池保護回路であって、ｎ個の２次電池cell1〜5のそれぞれに並列に接続されるｎ個のセルバランス用スイッチ手段としてのトランジスタスイッチM11,M21,M31,M41,M51と、ｎ個の２次電池cell1〜5のそれぞれの出力電圧が予め定められた検出電圧レベルVDET以下に低下した過放電状態を個別に検出するｎ個の過放電検出手段（比較器COMP1〜5と抵抗R11〜54および参照電圧VREF1〜5と否定論理和回路（NOR回路）NOR6からなる）と、このｎ個の過放電検出手段の少なくとも１つが過放電状態を検出すると過放電検出信号を出力する過放電検出信号出力手段（否定論理和回路（NOR回路）NOR6からなる）と、この過放電検出信号出力手段が過放電検出信号を出力すると、過放電状態となった２次電池以外の各２次電池に対する各過放電検出手段による過放電状態の検出電圧を、検出電圧レベル以上で予め設定された復帰電圧レベルに変更する検出レベル変更手段（抵抗R12〜54とトランジスタスイッチM12，M22，M32，M42，M52からなる）と、過放電検出信号出力手段が過放電検出信号を出力すると、過放電状態となった２次電池以外の各２次電池に接続されたセルバランス用スイッチ手段のそれぞれをオンして当該２次電池を放電させるパス回路を形成する第１の放電スイッチ制御手段（比較器COMP1〜5と否定論理和回路（NOR回路）NOR1〜5および否定論理和回路（NOR回路）NOR6からなる）と、過放電検出手段が、検出レベル変更手段により変更された復帰電圧レベル以下に出力電圧が低下した過放電状態の２次電池を検出すると、検出した過放電状態の２次電池に接続されたセルバランス用スイッチ手段をオフして当該２次電池を放電させるパス回路を遮断する第２の放電制御手段（比較器COMP1〜5と否定論理和回路（NOR回路）NOR1〜5および否定論理和回路（NOR回路）NOR6からなる）と、充電時、出力電圧が検出電圧レベル以上で予め設定された復帰電圧レベル以上の２次電池に接続されたセルバランス用スイッチ手段のそれぞれをオンし、全ての２次電池の出力電圧が復帰電圧レベル以上になると各セルバランス用スイッチ手段をオフする充電スイッチ制御手段（比較器COMP1〜5と否定論理和回路（NOR回路）NOR1〜5および否定論理和回路（NOR回路）NOR6からなる）とを有する構成とする。
【００８２】
このような構成とすることにより、本例の２次電池保護回路によれば、各セル（２次電池）毎に設けられた放電状態を監視する手段、充電状態を監視する手段、放電用パスを形成するスイッチ等の各制御を連携させて行うことができ、１つの２次電池の電圧状態に応じて、他の２次電池に対するセルバランス制御が可能となる。
【００８３】
例えば、二次電池を過放電以下から充電していく際に、過放電復帰電圧VREL付近でバランスさせてから、充電させることができ、満充電時の電圧バラツキを抑えることができると共に、１つのセルの過放電検出により形成された他の２次電池の放電パスの遮断を早める（VDET→VREL）ことで、セルバランスをとりながらの充電時における各２次電池の満充電までに要する時間を短縮することが可能となる。
【００８４】
尚、本発明は、図１，図２を用いて説明した例に限定されるものではなく、その要旨を逸脱しない範囲において種々変更可能である。例えば、本例では、５個のセル（２次電池）からなるセルパックを例に説明したが、セル（２次電池）の数は、３，４個等、２以上で良い。
【００８５】
また、本例の２次電池保護回路をバッテリ装置に設けた構成とすることにより、充電性能の良いバッテリ装置とすることができる。
【符号の説明】
【００８６】
cell1〜cell5：バッテリ（２次電池）、R11〜R14，R21〜R24，R31〜R34，R41〜R44，R51〜R54：抵抗、M11，M12，M21，M22，M31，M32，M41，M42，M51，M52：トランジスタスイッチ（NMOS）、NOR1〜６：否定論理和回路（NOR回路）、COMP1〜5：比較器、VC1〜5，VSS：バッテリ端子、CB1〜5：スイッチ制御端子、VREF1〜5：参照電圧。
【先行技術文献】
【特許文献】
【００８７】
【特許文献１】特許３８６３０３１号公報
【特許文献２】特開２００８−２７８６８８号公報
【図１】
2011182484.tif 000003
【図２】
2011182484.tif 000004